(57)【要約】  主判定枠登録部が、少なくとも一つの識別要素のデータに対応する数値範囲が他の金種における同一の識別要素に対応する数値範囲と重複しないように各数値範囲が調整された主判定枠を金種ごとに登録し、補助判定枠登録部が、主判定枠には該当しないものの特定の金種であると判別すべき硬貨についての識別要素ごとの数値範囲である補助判定枠を金種ごとに登録し、排除判定枠登録部が、主判定枠または補助判定枠に該当するものの特定の金種ではないと判別すべき硬貨についての識別要素ごとの数値範囲である排除判定枠を金種ごとに登録し、判別部が、主判定枠または補助判定枠のいずれかに該当し排除判定枠に該当しない硬貨を主判定枠に対応する硬貨であると判別するように硬貨識別装置を構成する。
2009122576.tif 000002
【特許請求の範囲】
【請求項１】
センサ出力に基づく複数の識別要素のデータがそれぞれ所定の数値範囲に含まれるか否かに基づいて硬貨を識別する硬貨識別装置であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、
前記主判定枠には該当しないものの特定の金種であると判別すべき硬貨についての前記識別要素ごとの前記数値範囲である補助判定枠を金種ごとに登録する補助判定枠登録手段と、
前記主判定枠または前記補助判定枠に該当した硬貨を当該主判定枠に対応する金種であると判別する判別手段と
を備えたことを特徴とする硬貨識別装置。
【請求項２】
センサ出力に基づく複数の識別要素のデータがそれぞれ所定の数値範囲に含まれるか否かに基づいて硬貨を識別する硬貨識別装置であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、
前記主判定枠に該当するものの特定の金種ではないと判別すべき硬貨についての前記識別要素ごとの前記数値範囲である排除判定枠を金種ごとに登録する排除判定枠登録手段と、
前記主判定枠に該当し前記排除判定枠に該当しない硬貨を当該主判定枠に対応する金種であると判別する判別手段と
を備えたことを特徴とする硬貨識別装置。
【請求項３】
センサ出力に基づく複数の識別要素のデータがそれぞれ所定の数値範囲に含まれるか否かに基づいて硬貨を識別する硬貨識別装置であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、
前記主判定枠には該当しないものの特定の金種であると判別すべき硬貨についての前記識別要素ごとの前記数値範囲である補助判定枠を金種ごとに登録する補助判定枠登録手段と、
前記主判定枠または前記補助判定枠に該当するものの特定の金種ではないと判別すべき硬貨についての前記識別要素ごとの前記数値範囲である排除判定枠を金種ごとに登録する排除判定枠登録手段と、
前記主判定枠または前記補助判定枠のいずれかに該当し前記排除判定枠に該当しない硬貨を当該主判定枠に対応する硬貨であると判別する判別手段と
を備えたことを特徴とする硬貨識別装置。
【請求項４】
前記主判定枠登録手段は、
すべての前記識別要素に対応する前記数値範囲が他の金種における同一の識別要素に対応する前記数値範囲と重複している場合に、すべての識別要素の中で両数値範囲内における各分布が最も離れた識別要素についての各数値範囲が重複しないように調整することを特徴とする請求項１、２または３に記載の硬貨識別装置。
【請求項５】
前記補助判定枠登録手段は、
特定の識別要素に対応する前記数値範囲が他の金種における同一の識別要素に対応する前記数値範囲と重複しないように前記主判定枠登録手段によって調整された場合に、調整前に重複していた前記数値範囲を前記特定の識別要素に係る数値範囲として有し、当該数値範囲に含まれる各データの他の識別要素における存在範囲を前記他の識別要素に係る数値範囲として有する前記補助判定枠を登録することを特徴とする請求項１または３に記載の硬貨識別装置。
【請求項６】
前記補助判定枠登録手段は、
金種ごとに複数の前記補助判定枠を登録することが可能であり、
前記排除判定枠登録手段は、
金種ごとに複数の前記排除判定枠を登録することが可能であることを特徴とする請求項３に記載の硬貨識別装置。
【請求項７】
金種ごとに複数の前記補助判定枠または複数の前記排除判定枠が登録された場合に、前記補助判定枠同士または前記排除判定枠同士を比較し、すべての前記識別要素について各識別要素に対応する両数値範囲が重複部分を有しているか接している場合に、該当する両判定枠を数値範囲が連続した１つの判定枠とする融合を行うことを特徴とする請求項６に記載の硬貨識別装置。
【請求項８】
センサ出力に基づく複数の識別要素のデータがそれぞれ所定の数値範囲に含まれるか否かに基づいて硬貨を識別する硬貨識別方法であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、
前記主判定枠には該当しないものの特定の金種であると判別すべき硬貨についての前記識別要素ごとの前記数値範囲である補助判定枠を金種ごとに登録する補助判定枠登録工程と、
前記主判定枠または前記補助判定枠に該当した硬貨を当該主判定枠に対応する金種であると判別する判別工程と
を含んだことを特徴とする硬貨識別方法。
【請求項９】
センサ出力に基づく複数の識別要素のデータがそれぞれ所定の数値範囲に含まれるか否かに基づいて硬貨を識別する硬貨識別方法であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、
前記主判定枠に該当するものの特定の金種ではないと判別すべき硬貨についての前記識別要素ごとの前記数値範囲である排除判定枠を金種ごとに登録する排除判定枠登録工程と、
前記主判定枠に該当し前記排除判定枠に該当しない硬貨を当該主判定枠に対応する金種であると判別する判別工程と
を含んだことを特徴とする硬貨識別方法。
【請求項１０】
センサ出力に基づく複数の識別要素のデータがそれぞれ所定の数値範囲に含まれるか否かに基づいて硬貨を識別する硬貨識別方法であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、
前記主判定枠には該当しないものの特定の金種であると判別すべき硬貨についての前記識別要素ごとの前記数値範囲である補助判定枠を金種ごとに登録する補助判定枠登録工程と、
前記主判定枠または前記補助判定枠に該当するものの特定の金種ではないと判別すべき硬貨についての前記識別要素ごとの前記数値範囲である排除判定枠を金種ごとに登録する排除判定枠登録工程と、
前記主判定枠または前記補助判定枠のいずれかに該当し前記排除判定枠に該当しない硬貨を当該主判定枠に対応する硬貨であると判別する判別工程と
を含んだことを特徴とする硬貨識別方法。
【発明の詳細な説明】
【技術分野】
【０００１】
本発明は、センサ出力に基づく複数の要素がそれぞれ所定の数値範囲に含まれるか否かに基づいて硬貨を識別する硬貨識別装置および硬貨識別方法に関し、特に、さまざまな国の硬貨に対応することができるとともに識別対象の追加や変動にも柔軟に対応することができる硬貨識別装置および硬貨識別方法に関するものである。
【背景技術】
【０００２】
硬貨の金種あるいは真偽を識別する硬貨識別装置では、識別対象となる硬貨の直径、材質、模様、厚みといった各要素を、磁気センサや光センサの出力に基づいてチェックすることが行われている。ここで、かかるチェックは、真正な硬貨の各要素に対応するセンサ出力が、所定の数値範囲に含まれるかを判定することによって行われる（以下では、この判定に用いられる数値範囲の組のことを「判定枠」と記載する）。なお、判定枠を用いて金種判定を行う硬貨識別装置としては、たとえば、特許文献１に開示されているものなどがある。【０００３】
かかる判定枠を用いた硬貨識別では、たとえば、すべてのセンサ出力値が、特定の判定枠における各数値範囲にそれぞれ含まれている場合に、この判定枠に対応する金種の真正硬貨であると判定される。ここで、所定の数値範囲の組を有する判定枠を用いるのは、真正な硬貨にも個体差がありセンサにも個体差があるためである。また、発行されたばかりの新貨と、市場で流通した流通貨とでは、各センサ出力にばらつきがみられるためである。したがって、所定の数値範囲の組を有する判定枠を用いることとすれば、真正な硬貨を誤ってリジェクトしてしまうことを防止することができる。【０００４】
ところで、上記した判定枠を金種ごとに作成するためには、大量の新貨や流通貨を用いたサンプル収集が必要である。たとえば、日本の硬貨を識別対象とする場合には、日本国内の新貨や流通貨を入手することは容易であるので、硬貨識別装置の開発時にあらかじめ判定枠を生成したり、あらたな硬貨が発行される際にあらたな判定枠を再作成したりすることに特に問題は生じない。【０００５】
【特許文献１】特開２００３−２５６９０２号公報
【発明の開示】
【発明が解決しようとする課題】
【０００６】
しかしながら、他国の硬貨を識別する硬貨識別装置を開発する場合には、硬貨識別装置の開発時に、各国の新貨や流通貨を大量に入手することが難しく、上記した判定枠の作成自体が困難であるという問題があった。【０００７】
また、硬貨識別装置の導入後に、通過率（真正な硬貨を真正であると判定する割合）が低下した場合や、あらたな偽装硬貨の出現などによって排除対象が増えた場合などには、これらの事象に迅速に対処する必要がある。しかし、従来の判定枠を用いた手法では、判定枠の変更を容易に行うことができず、迅速な対応が困難であるという問題もあった。【０００８】
これらのことから、判定枠を用いた硬貨識別を行いつつも、さまざまな国の硬貨に対応することができるとともに、識別対象の追加や変動にも柔軟に対応することができる硬貨識別装置あるいは硬貨識別方法をいかにして実現するかが大きな課題となっている。【０００９】
本発明は、上述した従来技術の課題を解決するためになされたものであり、判定枠を用いた硬貨識別を行いつつも、さまざまな国の硬貨に対応することができるとともに識別対象の追加や変動にも柔軟に対応することができる硬貨識別装置および硬貨識別方法を提供することを目的とする。
【課題を解決するための手段】
【００１０】
上述した課題を解決し、目的を達成するために、本発明は、センサ出力に基づく複数の識別要素のデータがそれぞれ所定の数値範囲に含まれるか否かに基づいて硬貨を識別する硬貨識別装置であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、前記主判定枠には該当しないものの特定の金種であると判別すべき硬貨についての前記識別要素ごとの前記数値範囲である補助判定枠を金種ごとに登録する補助判定枠登録手段と、前記主判定枠または前記補助判定枠に該当した硬貨を当該主判定枠に対応する金種であると判別する判別手段とを備えたことを特徴とする。【００１１】
また、本発明は、上記の発明において、センサ出力に基づく複数の識別要素のデータがそれぞれ所定の数値範囲に含まれるか否かに基づいて硬貨を識別する硬貨識別装置であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、前記主判定枠に該当するものの特定の金種ではないと判別すべき硬貨についての前記識別要素ごとの前記数値範囲である排除判定枠を金種ごとに登録する排除判定枠登録手段と、前記主判定枠に該当し前記排除判定枠に該当しない硬貨を当該主判定枠に対応する金種であると判別する判別手段とを備えたことを特徴とする。【００１２】
また、本発明は、上記の発明において、センサ出力に基づく複数の識別要素のデータがそれぞれ所定の数値範囲に含まれるか否かに基づいて硬貨を識別する硬貨識別装置であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、前記主判定枠には該当しないものの特定の金種であると判別すべき硬貨についての前記識別要素ごとの前記数値範囲である補助判定枠を金種ごとに登録する補助判定枠登録手段と、前記主判定枠または前記補助判定枠に該当するものの特定の金種ではないと判別すべき硬貨についての前記識別要素ごとの前記数値範囲である排除判定枠を金種ごとに登録する排除判定枠登録手段と、前記主判定枠または前記補助判定枠のいずれかに該当し前記排除判定枠に該当しない硬貨を当該主判定枠に対応する硬貨であると判別する判別手段とを備えたことを特徴とする。【００１３】
また、本発明は、上記の発明において、前記主判定枠登録手段は、すべての前記識別要素に対応する前記数値範囲が他の金種における同一の識別要素に対応する前記数値範囲と重複している場合に、すべての識別要素の中で両数値範囲内における各分布が最も離れた識別要素についての各数値範囲が重複しないように調整することを特徴とする。【００１４】
また、本発明は、上記の発明において、前記補助判定枠登録手段は、特定の識別要素に対応する前記数値範囲が他の金種における同一の識別要素に対応する前記数値範囲と重複しないように前記主判定枠登録手段によって調整された場合に、調整前に重複していた前記数値範囲を前記特定の識別要素に係る数値範囲として有し、当該数値範囲に含まれる各データの他の識別要素における存在範囲を前記他の識別要素に係る数値範囲として有する前記補助判定枠を登録することを特徴とする。【００１５】
また、本発明は、上記の発明において、前記補助判定枠登録手段は、金種ごとに複数の前記補助判定枠を登録することが可能であり、前記排除判定枠登録手段は、金種ごとに複数の前記排除判定枠を登録することが可能であることを特徴とする。【００１６】
また、本発明は、上記の発明において、金種ごとに複数の前記補助判定枠または複数の前記排除判定枠が登録された場合に、前記補助判定枠同士または前記排除判定枠同士を比較し、すべての前記識別要素について各識別要素に対応する両数値範囲が重複部分を有しているか接している場合に、該当する両判定枠を数値範囲が連続した１つの判定枠とする融合を行うことを特徴とする。【００１７】
また、本発明は、センサ出力に基づく複数の識別要素のデータがそれぞれ所定の数値範囲に含まれるか否かに基づいて硬貨を識別する硬貨識別方法であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、前記主判定枠には該当しないものの特定の金種であると判別すべき硬貨についての前記識別要素ごとの前記数値範囲である補助判定枠を金種ごとに登録する補助判定枠登録工程と、前記主判定枠または前記補助判定枠に該当した硬貨を当該主判定枠に対応する金種であると判別する判別工程とを含んだことを特徴とする。【００１８】
また、本発明は、センサ出力に基づく複数の識別要素のデータがそれぞれ所定の数値範囲に含まれるか否かに基づいて硬貨を識別する硬貨識別方法であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、前記主判定枠に該当するものの特定の金種ではないと判別すべき硬貨についての前記識別要素ごとの前記数値範囲である排除判定枠を金種ごとに登録する排除判定枠登録工程と、前記主判定枠に該当し前記排除判定枠に該当しない硬貨を当該主判定枠に対応する金種であると判別する判別工程とを含んだことを特徴とする。【００１９】
また、本発明は、センサ出力に基づく複数の識別要素のデータがそれぞれ所定の数値範囲に含まれるか否かに基づいて硬貨を識別する硬貨識別方法であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、前記主判定枠には該当しないものの特定の金種であると判別すべき硬貨についての前記識別要素ごとの前記数値範囲である補助判定枠を金種ごとに登録する補助判定枠登録工程と、前記主判定枠または前記補助判定枠に該当するものの特定の金種ではないと判別すべき硬貨についての前記識別要素ごとの前記数値範囲である排除判定枠を金種ごとに登録する排除判定枠登録工程と、前記主判定枠または前記補助判定枠のいずれかに該当し前記排除判定枠に該当しない硬貨を当該主判定枠に対応する硬貨であると判別する判別工程とを含んだことを特徴とする。
【発明の効果】
【００２０】
本発明によれば、少なくとも一つの識別要素に対応する数値範囲が他の金種における同一の識別要素に対応する数値範囲と重複しないように各数値範囲が調整された主判定枠を金種ごとに登録し、主判定枠には該当しないものの特定の金種であると判別すべき硬貨についての識別要素ごとの数値範囲である補助判定枠を金種ごとに登録し、主判定枠または補助判定枠に該当した硬貨を主判定枠に対応する金種であると判別することとしたので、主判定枠と、主判定枠によって排除されるものの本来は排除すべきではない硬貨を通過させるための補助判定枠とを用いることによって、さまざまな国の硬貨に対応することができるとともに、識別対象の追加や変動にも柔軟に対応することができるという効果を奏する。【００２１】
また、本発明によれば、少なくとも一つの識別要素に対応する数値範囲が他の金種における同一の識別要素に対応する数値範囲と重複しないように各数値範囲が調整された主判定枠を金種ごとに登録し、主判定枠に該当するものの特定の金種ではないと判別すべき硬貨についての識別要素ごとの数値範囲である排除判定枠を金種ごとに登録し、主判定枠に該当し排除判定枠に該当しない硬貨を主判定枠に対応する金種であると判別することとしたので、主判定枠と、主判定枠によっては排除されないものの本来は排除すべき硬貨を排除するための排除判定枠とを用いることによって、さまざまな国の硬貨に対応することができるとともに識別対象の追加や変動にも柔軟に対応することができるという効果を奏する。【００２２】
また、本発明によれば、少なくとも一つの識別要素に対応する数値範囲が他の金種における同一の識別要素に対応する数値範囲と重複しないように各数値範囲が調整された主判定枠を金種ごとに登録し、主判定枠には該当しないものの特定の金種であると判別すべき硬貨についての識別要素ごとの数値範囲である補助判定枠を金種ごとに登録し、主判定枠または補助判定枠に該当するものの特定の金種ではないと判別すべき硬貨についての識別要素ごとの数値範囲である排除判定枠を金種ごとに登録し、主判定枠または補助判定枠のいずれかに該当し排除判定枠に該当しない硬貨を主判定枠に対応する硬貨であると判別することとしたので、主判定枠によって排除されるものの本来は排除すべきではない硬貨を通過させるための補助判定枠と、主判定枠または補助判定枠によっては排除されないものの本来は排除すべき硬貨を排除するための排除判定枠とを用いることを用いることによって、さまざまな国の硬貨に対応することができるとともに識別対象の追加や変動にも柔軟に対応することができるという効果を奏する。【００２３】
また、本発明によれば、すべての識別要素に対応する数値範囲が他の金種における同一の識別要素に対応する数値範囲と重複している場合に、すべての識別要素の中で両数値範囲内における各分布が最も離れた識別要素についての各数値範囲が重複しないように調整することとしたので、最も差異が生じやすい識別要素において両主判定枠が重複しないように調整することによって、各金種にそれぞれ対応する各主範囲枠を区別して登録することができるという効果を奏する。【００２４】
また、本発明によれば、特定の識別要素に対応する数値範囲が他の金種における同一の識別要素に対応する数値範囲と重複しないように調整された場合に、調整前に重複していた数値範囲を特定の識別要素に係る数値範囲として有し、この数値範囲に含まれる各データの他の識別要素における存在範囲を他の識別要素に係る数値範囲として有する補助判定枠を登録することとしたので、重複した両主範囲枠における特定の識別要素が重複しないように調整された場合に、調整部分に該当する各データが各識別要素においてとりうる数値範囲の組を補助判定枠へ自動的に登録することによって、主判定枠の調整部分に該当する硬貨を主判定枠に対応する補助判定枠で通過させることができるという効果を奏する。【００２５】
また、本発明によれば、金種ごとに複数の補助判定枠を登録することが可能であり、金種ごとに複数の排除判定枠を登録することが可能であることとしたので、あらたな偽貨が出現した場合や、流通する硬貨の質が変化した場合であっても、柔軟に対応することができるという効果を奏する。【００２６】
また、本発明によれば、金種ごとに複数の補助判定枠または複数の排除判定枠が登録された場合に、補助判定枠同士または排除判定枠同士を比較し、すべての識別要素について各識別要素に対応する両数値範囲が重複部分を有しているか接している場合に、該当する両判定枠を数値範囲が連続した１つの判定枠とする融合を行うこととしたので、補助判定枠あるいは排除判定枠に対応する記憶容量を低減することができるとともに、判定処理を高速化することができるという効果を奏する。
【図面の簡単な説明】
【００２７】
【図１】図１は、本発明に係る硬貨識別手法の概要を示す図である。
【図２】図２は、本実施例に係る硬貨識別装置の構成を示すブロック図である。
【図３】図３は、センサ部の構成例を示す図である。
【図４】図４は、センサ部の構成を示すブロック図である。
【図５】図５は、主判定枠の一例を示す図である。
【図６】図６は、センサ値の分布例を示す図である。
【図７】図７は、主判定枠の重複補正に伴う補助判定枠の自動生成処理の概要を示す図である。
【図８】図８は、補助判定枠および排除判定枠の一例を示す図である。
【図９】図９は、主判定枠と補助判定枠との関係の一例を示す図である。
【図１０】図１０は、主判定枠と排除判定枠との関係の一例を示す図である。
【図１１】図１１は、判定枠の融合を説明するための図である。
【図１２】図１２は、判別部の処理手順を示すフローチャートである。
【符号の説明】
【００２８】
１    数値範囲
１ａ  上限値
１ｂ  下限値
１０    硬貨識別装置
１１    センサ部
１１ｃａ、１１ｃｂ、１１ｃｃ  センサ
１１ｄａ、１１ｄｂ、１１ｄｃ  波形整形回路
１１ｅ  Ａ／Ｄコンバータ
１２    センサ値入力部
１３    制御部
１３ａ  主判定枠登録部
１３ｂ  補助判定枠登録部
１３ｃ  排除判定枠登録部
１３ｄ  判定枠融合部
１３ｅ  判別部
１４    記憶部
１４ａ  主判定枠
１４ｂ  補助判定枠
１４ｃ  排除判定枠
１００    硬貨
２００    搬送路下面
３００    搬送用ベルト
【発明を実施するための最良の形態】
【００２９】
以下に、添付図面を参照して、本発明に係る硬貨識別手法の好適な実施例を詳細に説明する。なお、以下では、本発明に係る硬貨識別手法の概要について図１を用いて説明した後に、本発明に係る硬貨識別手法を適用した硬貨識別装置についての実施例を図２〜図１２を用いて説明することとする。【００３０】
図１は、本発明に係る硬貨識別手法の概要を示す図である。同図に示すように、「判定枠」とは、センサ値の各識別要素（以下、単に「要素」と記載する）における金種ごとの正当な数値範囲１（下限値１ｂ／上限値１ａ間）の組を指す。たとえば、同図に示すように、要素Ａにおける数値範囲１と同様に、要素Ｂ〜要素Ｄについてもそれぞれ数値範囲が設定される。そして、各要素における数値範囲に、すべてのセンサ値がそれぞれ含まれる場合に、判定枠に対応する金種であると判定される。なお、各要素としては、たとえば、直径、材質、厚み、凹凸、ギザ数、穴情報、バイメタル情報等があげられる。また、要素の個数には、特に制限はない。【００３１】
ここで、本発明に係る硬貨識別手法では、同図に示すように、主判定枠、補助判定枠および排除判定枠という各判定枠を用いて硬貨識別を行う点に主たる特徴がある。主判定枠とは、基本となる判定枠のことを指し、補助判定枠とは、主判定枠では排除されてしまうが本来は排除したくない硬貨を通過させるための判定枠のことを指す。また、排除判定枠とは、主判定枠または補助判定枠では通過してしまうが本来は通過させたくない硬貨を排除するための判定枠のことを指す。【００３２】
そして、特定の金種に対応する主判定枠には、１つ以上の補助判定枠および１つ以上の排除判定枠が対応付けられており、これらの判定枠の組が、金種の数だけ用意される。このように、本発明に係る硬貨識別手法では、それぞれが変更可能な３種類の判定枠を登録し（同図の（１）参照）、各判定枠を用いて硬貨識別を行う（同図の（２）参照）。すわなち、主判定枠を基本としながらも、例外的に通過させる硬貨や、例外的に排除する硬貨についての条件を補助判定枠や排除判定枠として定義することで、識別対象の追加や変動、あるいは、識別内容の変更にも柔軟に対応することができる。【００３３】
なお、本発明に係る硬貨識別手法では、主判定枠同士が重複した場合、たとえば、金種Ａに対応する主判定枠と、金種Ｂに対応する主判定枠とがすべての要素において重複した場合には、所定の要素において主判定枠同士が重複しないように調整する補正を行う。そして、調整した要素における重複部分に含まれる金種Ａの硬貨を判別するための補助判定枠および金種Ｂの硬貨を判別するための補助判定枠を自動的に生成する。なお、これらの点の詳細については、図７を用いて後述することとする。以下では、図１に示した本発明に係る硬貨識別手法を適用した硬貨識別装置の実施例を図２〜図１２を用いて説明する。
【実施例】
【００３４】
図２は、本実施例に係る硬貨識別装置１０の構成を示すブロック図である。なお、同図では、硬貨識別装置１０の特徴を説明するために必要な構成要素のみを示しており、硬貨の搬送機構などの記載を省略している。【００３５】
同図に示すように、硬貨識別装置１０は、センサ部１１と、センサ値入力部１２と、制御部１３と、記憶部１４とを備えている。そして、制御部１３は、主判定枠登録部１３ａと、補助判定枠登録部１３ｂと、排除判定枠登録部１３ｃと、判定枠融合部１３ｄと、判別部１３ｅとをさらに備えており、記憶部１４は、主判定枠１４ａと、補助判定枠１４ｂと、排除判定枠１４ｃとを記憶する。【００３６】
センサ部１１は、硬貨が搬送される搬送路に設けられたセンサ群であり、硬貨通過時における各センサのセンサ値をセンサ値入力部１２へ渡す処理を行う。ここで、センサ部１１について図３および図４を用いて詳細に説明する。図３は、センサ部１１の構成例を示す図である。なお、同図の１１ａにはセンサ部１１の上面図を、同図の１１ｂにはセンサ部１１の側面図を、同図の１１ｃａ、１１ｃｂおよび１１ｃｃには、同図に示した直線Ａ、直線Ｂおよび直線Ｃにおけるセンサ部１１の断面図を、それぞれ示している。【００３７】
同図に示すように、識別対象となる硬貨１００は、搬送用ベルト３００によって搬送路下面２００に押し付けられた状態で搬送される。そして、硬貨１００がセンサ部１１を通過する際には、センサ部１１内に設けられた各センサによって各センサ値が取得される。たとえば、同図の１１ｃａに示したのは、コイル１０３ａおよびコイル１０３ｃと、コイル１０３ｂおよびコイル１０３ｃとの組み合わせで硬貨１００の直径を検出するセンサである。【００３８】
また、同図の１１ｃｂに示したのは、コイル１０３ｄおよびコイル１０３ｅの組み合わせで硬貨１００の材質あるいは厚みを検出するセンサである。さらに、同図の１１ｃｃに示したのは、受発光素子１０３ｆで硬貨１００の反射率等を検出するセンサである。なお、同図に示したセンサは一例であり、他の種類のセンサを用いることとしても構わない。また、各センサの個数には特に制限はなく、各センサによる検出値を組み合わせたものをセンサ値として使用することとしてもよい。【００３９】
図４は、センサ部１１の構成を示すブロック図である。同図に示すように、センサＡ１１ｃａからの出力信号は、波形整形回路１１ｄａで整形されたうえでＡ／Ｄ（アナログ／デジタル）コンバータ１１ｅへ入力される。また、センサＢ１１ｃｂからの出力信号については、波形整形回路１１ｄｂで整形されたうえでＡ／Ｄ（アナログ／デジタル）コンバータ１１ｅへ入力される。【００４０】
同様に、センサＣ１１ｃｃからの出力信号についても、波形整形回路１１ｄｃで整形されたうえでＡ／Ｄ（アナログ／デジタル）コンバータ１１ｅへ入力される。そして、Ａ／Ｄコンバータ１１ｅは、各信号値をデジタルデータとしてセンサ値入力部１２へ出力する。なお、同図には、３つのセンサを示しているが、センサの個数には特に制限はない。【００４１】
センサ値入力部１２は、センサ部１１から受け取った各センサ値を制御部１３の判別部１３ｅへ渡す処理を行う。なお、硬貨識別装置１０に実際に硬貨を流動させ、主判定枠１４ａをあらたに生成する場合には、このセンサ値入力部１２は、各センサ値を制御部１３の主判定枠登録部１３ａへ渡す処理も行う。また、補助判定枠１４ｂあるいは排除判定枠１４ｃを、硬貨の流動によって生成する場合には、各センサ値を制御部１３の補助判定枠登録部１３ｂあるいは排除判定枠登録部１３ｃへ渡すこともできる。【００４２】
制御部１３は、各金種に対応する各判定枠（主判定枠１４ａ、補助判定枠１４ｂおよび排除判定枠１４ｃ）を記憶部１４へ登録する処理を行うとともに、これらの判定枠を用いた金種判別処理を行う処理部である。また、この制御部１３は、特定の金種について複数の補助判定枠１４ｂや、複数の排除判定枠１４ｃが登録された場合に、重複した判定枠同士を融合することで、判定枠の記憶領域を削減する処理を行う処理部でもある。【００４３】
主判定枠登録部１３ａは、硬貨識別装置１０が識別対象とする金種ごとの主判定枠１４ａを、特定の金種に係る硬貨を流動させた場合におけるセンサ値入力部１２からの出力に基づいて生成するとともに、生成した主判定枠１４ａを記憶部１４へ登録する処理を行う処理部である。また、この主判定枠登録部１３ａは、各金種に対応する主判定枠１４ａの重複チェック（ラップチェック）を行い、該当する主判定枠１４ａ同士が重複しないように補正する処理（重複補正処理）を行う処理部でもある。【００４４】
なお、本実施例では、判定枠生成用の硬貨を実際に流動させ、主判定枠１４ａを生成する場合について説明するが、他の硬貨識別装置１０や外部装置で生成された主判定枠１４ａを主判定枠登録部１３ａ経由で記憶部１４ａへ登録することとしてもよい。【００４５】
ここで、主判定枠１４ａの例について図５を用いて説明する。図５は、主判定枠１４ａの一例を示す図である。同図に示すように、主判定枠１４ａは、たとえば、テーブル形式（行/列形式）のデータであり、テーブルの「列」方向には、要素ごとに数値範囲の上限値をあらわす「上限」と下限値をあらわす「下限」とが、要素の個数分だけ用意される。そして、同図に示す１行あたりのデータが各金種に対応しており、金種の数だけテーブルの「行」が用意される。【００４６】
たとえば、金種αに対応する１行目のデータの場合、要素Ａの上限はαＡＨで下限はαＡＬであり、要素Ｂの上限はαＢＨで下限はαＢＬであり、要素Ｃの上限はαＣＨで下限はαＣＬであるものとする。また、金種βに対応する２行目のデータの場合、要素Ａの上限はβＡＨで下限はβＡＬであり、要素Ｂの上限はβＢＨで下限はβＢＬであり、要素Ｃの上限はβＣＨで下限はβＣＬであるものとする。【００４７】
次に、図５に示した各「要素」における「上限」および「下限」の決定手順について図６を用いて説明する。図６は、センサ値の分布例を示す図である。なお、同図の（１）にはセンサ値の分布が正規分布に近い分布である場合を、同図の（２）にはセンサ値の分布が下限側に片寄った分布である場合を、同図の（３）にはセンサ値の分布が上限側に片寄った分布である場合を、それぞれ示している。また、同図における１０６ａはセンサ値の分布における最小値（ＭＩＮ）を、１０６ｂは同じく最大値（ＭＡＸ）を、１０６ｃは同じく平均値（ＡＶＥ）を、それぞれ示している。【００４８】
図５に示した各「要素」における「上限」および「下限」を決定するには、まず、生成したい主判定枠１４ａに対応する金種の硬貨を所定枚数（たとえば、５０枚）、硬貨識別装置１０で流動させ、センサ値入力部１２を介して材質、直径、厚みといった要素ごとのセンサ値の分布状況を取得する。そして、主判定枠登録部１３ａは、統計的手法を用いて要素ごとの「上限」および「下限」を決定する。【００４９】
具体的には、各要素について、最大値（ＭＡＸ）および最小値（ＭＩＮ）を取得するとともに平均値（ＡＶＥ）を算出する。そして、最大値と平均値との差（ΔＨ＝ＭＡＸ−ＡＶＥおよび平均値と最小値との差（ΔＬ＝ＡＶＥ−ＭＩＮ）を算出する。つづいて、上限側の分布である「ΔＨ」と下限側の分布である「ΔＬ」との差を標準偏差σで除した値（Ａ＝（ΔＨ−ΔＬ）／σ）に応じて分布が正規分布に近いか、上限あるいは下限に片寄った分布であるかを判定し、要素ごとの「上限」および「下限」を決定する。【００５０】
たとえば、「−２≦Ａ≦２」の場合には、正規分布に近い分布形状（図６の（１）参照）と考えられるので、上限は「ＡＶＥ＋５σ」、下限は「ＡＶＥ−５σ」と決定される。また、「Ａ＜−２」の場合には、下限側分布が広い分布形状（図６の（２）参照）と考えられるので、上限は「ＡＶＥ＋３σ」、下限は「ＡＶＥ−７σ」と決定される。また、「Ａ＞２」の場合には、上限側分布が広い分布形状（図６の（３）参照）と考えられるので、上限は「ＡＶＥ＋７σ」、下限は「ＡＶＥ−３σ」と決定される。【００５１】
このような上限および下限の決定処理をすべての要素について行うことで、特定の金種に対応した主判定枠１４ａが生成される（図５の各行に対応）。また、同様の処理を他の金種についても行うことで、図５に示したテーブルが生成される。【００５２】
そして、各金種に対応した主判定枠１４ａが生成されると、主判定枠登録部１３ａは、各金種に対応する主判定枠１４ａの重複チェック（ラップチェック）を行う。以下では、既に示した図５を用いて重複チェック（ラップチェック）の概要について説明する。重複チェック（ラップチェック）では、各金種の各要素における数値範囲（上限／下限間の範囲）が重複しているか否かがチェックされる。【００５３】
たとえば、要素Ａにおける金種αと金種βとの重複チェックにおいては、「αＡＨ−βＡＬ＞０」かつ「αＡＬ-βＡＨ＞０」を条件１とし、「αＡＨ−βＡＬ＜０」かつ「αＡＬ−βＡＨ＜０」を条件２とすると、条件１または条件２を満たした場合には「金種αと金種βとは要素Ａで重複領域をもたない」と判定される。一方、条件１および条件２のいずれも満たさない場合には「金種αと金種βとは要素Ａで重複領域をもつ」と判定される。【００５４】
そして、このような判定を全要素について行ったうえで、少なくとも１つの要素において「重複領域をもたない」と判定された場合には、該当する両金種は、重複補正処理の対象とはならない。一方、すべての要素において「重複領域をもつ」と判定された場合には、該当する両金種は、重複補正処理の対象とされる。なお、ここでは金種αと金種βとの重複チェックについて説明したが、かかる重複チェックはすべての金種の組み合わせについて行われる。たとえば、図５に示した場合では、金種α／金種β間、金種α／金種γ間および金種β／金種γ間の重複チェックが行われる。【００５５】
次に、重複チェック（ラップチェック）の結果、すべての要素において「重複する領域をもつ」と判定された主判定枠１４ａ同士が重複しないように補正する処理（重複補正処理）について説明する。なお、以下では、図５に示した金種αと金種βとがすべての要素において「重複する領域をもつ」と判定された場合について説明する。【００５６】
このような場合、各要素におけるセンサ値分布の平均値の差を各要素におけるセンサ値分布の標準偏差（σ）の和で除し、その絶対値をとった値（ＴＨ）を算出する。そして、各要素のなかでＴＨが最も大きい要素を、補正対象の要素として選択する。なお、ＴＨは、「ＴＨ＝ＡＢＳ（（金種αのＡＶＥ−金種βのＡＶＥ）／（金種αのσ＋金種βのσ））」とあらわされる。ここで、「ＡＢＳ」は、絶対値を意味する。【００５７】
このようにして補正対象とする要素が決定されると、つづいて、重複補正処理が実行される。ここでは、図５に示した「要素Ａ」が補正対象として選択され、金種αの要素Ａにおけるセンサ値分布の平均値（ＡＶＥ）が、金種βの要素Ａにおけるセンサ値分布の平均値（ＡＶＥ）よりも大きい場合について説明する。【００５８】
このような場合、式「Ｘ＝金種αのＡＶＥ−ＴＨ×金種αのσ」で算出される「Ｘ」を、金種αにおける要素Ａの「下限」として設定する。そして、「Ｘ−１」を、金種βにおける要素Ａの「上限」として設定する。このようにして、各金種に対応する主判定枠１４ａは、少なくとも一つの要素における数値範囲が、他の金種の該当要素における数値範囲とは重複しないように調整される。【００５９】
次に、補助判定枠登録部１３ｂについて説明する。補助判定枠登録部１３ｂは、主判定枠１４ａでは排除されてしまうが本来は排除したくない硬貨を通過させるための判定枠である補助判定枠１４ｂを、記憶部１４へ登録する処理を行う処理部である。また、この補助判定枠登録部１３ｂは、主判定枠登録部１３ａによる重複補正処理によって主判定枠１４ａの特定の要素について「上限」あるいは「下限」が補正された場合に、補正前の範囲に存在した両金種のデータを、それぞれの金種と判定するための補助判定枠１４ｂを自動的に生成する処理を併せて行う。【００６０】
ここで、主判定枠１４ａの重複補正に伴う補助判定枠１４ｂの自動生成処理の概要について図７を用いて説明する。図７は、主判定枠１４ａの重複補正に伴う補助判定枠１４ｂの自動生成処理の概要を示す図である。なお、図７では、図５に示したテーブルの各項目に対応した「αＡＨ」、「βＡＨ」などの符号を用いている。【００６１】
図７の（１）に示すように、金種αの要素Ａの分布（同図に示すαＡの分布）と、金種βの要素Ａの分布（同図に示すβＡの分布）とが部分的に重なっており、主判定枠登録部１３ａの重複補正処理の対象とされた場合、上記した「Ｘ」の値に基づき、金種αの下限は「Ｘ」とされ、金種αの要素Ａの数値範囲は、下限「Ｘ」〜上限「αＡＨ」へと変更される。なお、金種βの上限は「Ｘ−１」とされ、金種βの要素Ａの数値範囲は、下限「βＡＬ」〜上限「Ｘ−１」へと変更される。【００６２】
この場合において、あらたな下限「Ｘ」への変更によって金種αの要素Ａの数値範囲に含まれなくなった部分（図７の（１）の斜線部分）、すなわち、下限「αＡＬ」〜上限「Ｘ−１」の数値範囲は、金種αの補助判定１の要素Ａ（後述する図８参照）へ登録される。また、図７の（１）の斜線部分に分布していた各データに対応するデータが、金種αの他の要素においてどのように分布しているかが検索される。【００６３】
たとえば、金種αの要素Ｂにおいて、図７の（１）の斜線部分に含まれるデータが、要素Ｂにおいては図７の（２−１）の斜線部分に示したように分布している場合には、かかる部分の下限（ＢＬ）および上限（ＢＨ）が、金種αの補助判定１の要素Ｂへ登録される。また、金種αの要素Ｃにおいて、図７の（１）の斜線部分に含まれるデータが、要素Ｃにおいては図７の（２−２）の斜線部分に示したように分布している場合には、かかる部分の下限（ＣＬ）および上限（ＣＨ）が、金種αの補助判定１の要素Ｃへ登録される。なお、このような検索処理は、すべての要素について行われる。【００６４】
なお、補助判定枠登録部１３ｂは、主判定枠１４ａの重複補正が行われた場合に、このような補助判定枠１４ｂの自動生成処理を行う他、所定の判定条件を補助判定枠１４ｂへ追加登録する処理も併せて行う。たとえば、特定の金種に対応する主判定枠１４ａで実際に排除される真貨を流動させてセンサ値入力部１２から各センサ値を含んだデータ（リジェクトデータ）を取得し、このデータにおける各要素における数値範囲を算出して図８に示したテーブルへ登録する。なお、補助判定枠１４ａにあらたな判定条件を追加する際に、各数値範囲の幅（上限−下限）を主判定枠１４ａにおける数値範囲の幅で除した値が１／４よりも大きい場合に、警告を発することとしてもよい。【００６５】
次に、排除判定枠登録部１３ｃについて説明する。排除判定枠登録部１３ｃは、主判定枠１４ａまたは補助判定枠１４ｂでは通過してしまうが本来は通過させたくない硬貨を排除するための判定枠である排除判定枠１４ｃを、記憶部１４へ登録する処理を行う処理部である。ここで、補助判定枠登録部１３ｂによって登録される補助判定枠１４ｂおよび排除判定枠登録部１３ｃによって登録される排除判定枠１４ｃの例について図８を用いて説明する。図８は、補助判定枠１４ｂおよび排除判定枠１４ｃの一例を示す図である。【００６６】
同図に示すように、補助判定枠１４ｂおよび排除判定枠１４ｃは、図５に示した主判定枠１４ａと同様なテーブル形式のデータであり、判定ルールごと（同図に示す、判定１、判定２および判定３）に要素ごとの上限値をあらわす「上限」と、下限値をあらわす「下限」を定義したものである。ここで、補助判定枠１４ｂおよび排除判定枠１４ｃには、判定ルールごとに「有効フラグ」項目が設けられており、この有効フラグが「ＯＮ」に設定されている判定ルールのみが判定に用いられる。このように有効フラグ項目を設けることで、特定の判定ルールを一時的に用いないこととしたり、特定の国では、所定の判定ルールのみを用いることとしたりすることができる。【００６７】
同図に示した補助判定枠１４ｂおよび排除判定枠１４ｃは、特定の金種に係る主判定枠１４ａにそれぞれ対応付けられており、主判定枠１４ａでは排除されてしまうが本来は通過させたい硬貨の条件が補助判定枠１４ｂへ、主判定枠１４ａまたは補助判定枠１４ｂでは通過してしまうが本来は排除したい硬貨の条件が排除判定枠１４ｃへ、それぞれ登録される。このように、補助判定枠１４ｂおよび排除判定枠１４ｃを、主判定枠１４ａとは独立して保持することで、金種判別を柔軟に行うことができる。【００６８】
次に、主判定枠１４ａと補助判定枠１４ｂとの関係の例、主判定枠１４ａと排除判定枠１４ｃとの関係の例について図９および図１０を用いて説明する。図９は、主判定枠１４ａと補助判定枠１４ｂとの関係の一例を示す図である。なお、同図に示す１０９ａａ、１０９ａｊ、１０９ａｋおよび１０９ａｌは、主判定枠１４ａにおける各要素の数値範囲であり、同図に示す１０９ｂａ、１０９ｂｊ、１０９ｂｋおよび１０９ｂｌは、補助判定枠１４ｂにおける各要素の数値範囲であるものとする。【００６９】
図９に示した場合では、補助判定枠１４ｂの数値範囲は、要素Ｌに対応する１０９ｂｌ以外のものがすべて主判定枠１４ａの数値範囲に含まれている。このように、所定の要素（同図では要素Ｌ）について、主判定枠１４ａには含まれないために排除されてしまうが、本来は通過させたい硬貨の判定条件を補助判定枠１４ｂへ登録することで、流通期間が長くなるなどして真正硬貨の通過率が低下した場合などに、柔軟に対応することができる。【００７０】
図１０は、主判定枠１４ａと排除判定枠１４ｃとの関係の一例を示す図である。なお、同図に示す１１０ａａ、１１０ａｊ、１１０ａｋおよび１１０ａｌは、主判定枠１４ａにおける各要素の数値範囲であり、同図に示す１１０ｂａ、１１０ｂｊ、１１０ｂｋおよび１１０ｂｌは、排除判定枠１４ｃにおける各要素の数値範囲であるものとする。【００７１】
図１０に示した場合では、排除判定枠１４ｃの数値範囲は、すべて主判定枠１４ａの数値範囲に含まれているが、主判定枠１４ａの各数値範囲に比べてすべてが狭い範囲のものとなっている。このような排除判定枠１４ｃは、主判定枠１４ａのすべての要素における数値範囲に合致するものの、特定の条件を満たした硬貨を排除したい場合に用いられる。すなわち、排除判定枠１４ｃは、主判定枠１４ａでは通過してしまうが本来は通過させたくない硬貨を排除したい場合に用いられる。また、この排除判定枠１４ｃは、補助判定枠１４ｂでは通過してしまうが本来は通過させたくない硬貨を排除したい場合にも用いられる。【００７２】
このように、主判定枠１４ａにおけるすべての要素を満たすため通過してしまうが、本来は排除したい偽貨や他国の類似硬貨などの硬貨の判定条件を排除判定枠１４ｃへ登録することで、あらたな偽貨の出現などによる排除対象の増加に対して柔軟に対応することができる。【００７３】
次に、判定枠融合部１３ｄについて説明する。判定枠融合部１３ｄは、補助判定枠１４ｂや排除判定枠１４ｃにそれぞれ複数の判定枠（図８における判定１、判定２などを参照）が登録された場合に、重複した判定枠同士を合わせて判定条件を少なくするための「融合」処理を行う処理部である。なお、この「融合」は、同一要素内の判定枠設定について行われる。このように、判定枠を融合することで、判定枠を記憶するための記憶領域を削減することができるとともに、判定処理の高速化を図ることができる。【００７４】
ここで、判定枠融合部１３ｄが行う判定枠融合処理について図１１を用いて説明する。図１１は、判定枠の融合を説明するための図である。なお、同図には、補助判定枠１４ｂを示しており、判定１における要素Ａの上限および下限をそれぞれ「１ＡＨ」および「１ＡＬ」、判定１における要素Ｂの上限および下限をそれぞれ「１ＢＨ」および「１ＢＬ」のようにあらわすものとする。また、判定２における要素Ａの上限および下限をそれぞれ「２ＡＨ」および「２ＡＬ」、判定２における要素Ｂの上限および下限をそれぞれ「２ＢＨ」および「２ＢＬ」のようにあらわすものとする。【００７５】
判定枠融合処理では、各要素単位で、各判定条件（判定１、判定２など）が、同一分布とみなせるか否かを判定し、同一分布とみなせると判定した場合には両判定条件を融合させて１つの判定条件とする。具体的には、比較する両判定条件において、各要素の数値範囲が、「（１）いずれかの数値範囲に含まれる」、「（２）重複（ラップ）している」、「（３）接している」、のいずれかに合致するかを判定してすべての要素について（１）〜（３）の条件を満たした場合に、両判定条件を融合する。【００７６】
「（１）いずれかの数値範囲に含まれる」か否かを判定する場合、たとえば、要素Ａについて判定３の内容と判定２の内容とを比較し、「３ＡＨ−２ＡＨ≧０」かつ「２ＡＬ−３ＡＬ≧０」、または、「３ＡＨ−２ＡＨ≦０」かつ「２ＡＬ−３ＡＬ≦０」、のいずれかを満たした場合に（１）の条件を満たすと判定する。【００７７】
また、「（２）重複（ラップ）している」か否かを判定する場合、たとえば、要素Ａについての判定３の内容と判定２の内容とを比較し、「３ＡＬ＜２ＡＬ＜３ＡＨ」または「３ＡＬ＜２ＡＨ＜３ＡＨ」のいずれかを満たした場合に（２）の条件を満たすと判定する。【００７８】
また、「（３）接している」か否かを判定する場合、たとえば、要素Ａについての判定３の内容と判定２の内容とを比較し、「３ＡＨ＝２ＡＬ」または「２ＡＨ＝３ＡＬ」のいずれかを満たした場合に（３）の条件を満たすと判定する。【００７９】
なお、判定枠融合処理では、テーブルにおける後方から（判定番号が大きいほうから）順に比較していくものとする。たとえば、図１１に示した場合では、判定３と判定２とが比較され、次に、判定２と判定１とが比較される。そして、すべての要素について（１）〜（３）の条件を満たした両判定条件では、要素ごとに上限および下限の融合を行って判定番号が小さいほうの判定条件を更新するとともに、判定番号が大きいほうの判定条件をテーブルから削除する。そして、かかる比較を判定番号が最も小さい判定条件を比較対象とするまで繰り返していく。【００８０】
なお、要素ごとの上限および下限の融合は、以下の手順で行われる。たとえば、判定２と判定３とを融合する場合、要素Ａにおける上限および下限である、２ＡＨ、２ＡＬ、３ＡＨおよび３ＡＬのうち最も大きいものをあらたな上限とし、最も小さいものをあらたな下限とする。そして、すべての要素について上限および下限の融合を行い、あらたな判定２とするとともに、判定３については削除する。【００８１】
次に、判別部１３ｅについて説明する。判別部１３ｅは、記憶部に登録された金種ごとの主判定枠１４ａ、補助判定枠１４ｂおよび排除判定枠１４ｃを用いて硬貨の金種を判別する処理を行う処理部である。ここで、この判別部１３ｅが行う判別処理について図１２を用いて説明する。図１２は、判別部１３ｅの処理手順を示すフローチャートである。なお、同図のステップＳ１０１に先立って、径センサや広い判定枠などを用いて大まかな金種が判別されているものとする。【００８２】
同図に示すように、判別部１３ｅは、所定の金種に対応する主判定枠１４ａを選択し（ステップＳ１０１）、判別対象となる硬貨のセンサ値が主判定枠１４ａの全要素を満たすか否かを判定する（ステップＳ１０２）。そして、主判定枠１４ａの全要素を満たす場合には（ステップＳ１０２，Ｙｅｓ）、主判定枠１４ａと対応付けられた排除判定枠１４ｃの全要素を満たすか否かを判定する（ステップＳ１０４）。【００８３】
そして、排除判定枠１４ｂの少なくとも一つの要素を満たさない場合には（ステップＳ１０４，Ｎｏ）、判別対象となる硬貨の金種を、ステップＳ１０１で選択した主判定枠１４ａに対応する金種であると判別して（ステップＳ１０６）処理を終了する。なお、ステップＳ１０４の判定条件を満たした場合には（ステップＳ１０４，Ｙｅｓ）、ステップＳ１０５の処理が行われる。【００８４】
また、ステップＳ１０２の判定条件を満たさなかった場合には（ステップＳ１０２，Ｎｏ）、主判定枠１４ａと対応付けられた補助判定枠１４ｂの全要素を満たすか否かが判定され（ステップＳ１０３）、補助判定枠１４ｂの全要素を満たす場合には（ステップＳ１０３，Ｙｅｓ）、ステップＳ１０４以降の処理を行う。【００８５】
一方、ステップＳ１０３の判定条件を満たさなかった場合には（ステップＳ１０３，Ｎｏ）、他の金種の主判定枠１４ａがあるか否かが判定され（ステップＳ１０５）、他の金種の主判定枠１４ａがある場合には（ステップＳ１０５，Ｙｅｓ）、あらたな金種の主判定枠１４ａを用いてステップＳ１０１以降の処理を繰り返す。なお、ステップＳ１０５の判定条件を満たさなかった場合には（ステップＳ１０５，Ｎｏ）、判別対象となる硬貨を偽貨と判別して（ステップＳ１０７）処理を終了する。【００８６】
なお、同図に示したフローチャートでは、ステップＳ１０１に先立って径センサや広い判定枠などを用いて大まかな金種があらかじめ判別されているため、ステップＳ１０７では偽貨と判別するが、大まかな金種があらかじめ判別されていない場合、ステップＳ１０７では該当金種なしと判別することとしてもよい。【００８７】
次に、記憶部１４について説明する。記憶部１４は、ＲＡＭ（Random  Access  Memory）やＨＤＤ（Hard  Disk  Drive）といった記憶デバイスで構成される記憶部であり、金種ごとの主判定枠１４ａと、所定の金種に係る主判定枠１４ａと対応付けられた補助判定枠１４ｂおよび排除判定枠１４ｃを記憶する。なお、主判定枠１４ａについては、図５等を用いて、補助判定枠１４ｂおよび排除判定枠１４ｃについては、図８を用いて既に説明したので、ここでの説明は省略する。【００８８】
上述してきたように、本実施例では、主判定枠登録部が、少なくとも一つの識別要素のデータに対応する数値範囲が他の金種における同一の識別要素に対応する数値範囲と重複しないように各数値範囲が調整された主判定枠を金種ごとに登録し、補助判定枠登録部が、主判定枠には該当しないものの特定の金種であると判別すべき硬貨についての識別要素ごとの数値範囲である補助判定枠を金種ごとに登録し、排除判定枠登録部が、主判定枠または補助判定枠に該当するものの特定の金種ではないと判別すべき硬貨についての識別要素ごとの数値範囲である排除判定枠を金種ごとに登録し、判別部が、主判定枠または補助判定枠のいずれかに該当し排除判定枠に該当しない硬貨を主判定枠に対応する硬貨であると判別するように硬貨識別装置を構成した。【００８９】
したがって、主判定枠によって排除されるものの本来は排除すべきではない硬貨を通過させるための補助判定枠と、主判定枠または補助判定枠によっては排除されないものの本来は排除すべき硬貨を排除するための排除判定枠とを用いることを用いることによって、さまざまな国の硬貨に対応することができるとともに識別対象の追加や変動にも柔軟に対応することができる。
【産業上の利用可能性】
【００９０】
以上のように、本発明に係る硬貨識別装置および硬貨識別方法は、硬貨の金種や真偽の判別に有用であり、特に、さまざまな国の硬貨に対応したい場合や、識別対象の追加や変動にも柔軟に対応したい場合に適している。
【図１】
2009122576.tif 000003
【図２】
2009122576.tif 000004
【図３】
2009122576.tif 000005
【図４】
2009122576.tif 000006
【図５】
2009122576.tif 000007
【図６】
2009122576.tif 000008
【図７】
2009122576.tif 000009
【図８】
2009122576.tif 000010
【図９】
2009122576.tif 000011
【図１０】
2009122576.tif 000012
【図１１】
2009122576.tif 000013
【図１２】
2009122576.tif 000014
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
センサ出力に基づく複数の識別要素のデータがそれぞれ所定の数値範囲に含まれるか否かに基づいて硬貨を識別する硬貨識別装置であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、
前記主判定枠には該当しないものの特定の金種であると判別すべき硬貨についての前記識別要素ごとの前記数値範囲である補助判定枠を金種ごとに登録する補助判定枠登録手段と、
そのデータが前記主判定枠または前記補助判定枠に該当した硬貨が当該主判定枠に対応する金種であると判別する判別手段と
を備えたことを特徴とする硬貨識別装置。
【請求項２】
センサ出力に基づく複数の識別要素のデータがそれぞれ所定の数値範囲に含まれるか否かに基づいて硬貨を識別する硬貨識別装置であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、
前記主判定枠に該当するものの特定の金種ではないと判別すべき硬貨についての前記識別要素ごとの前記数値範囲である排除判定枠を金種ごとに登録する排除判定枠登録手段と、
そのデータが前記主判定枠に該当し前記排除判定枠に該当しない硬貨が当該主判定枠に対応する金種であると判別する判別手段と
を備えたことを特徴とする硬貨識別装置。
【請求項３】
センサ出力に基づき硬貨の複数の識別要素のデータがそれぞれ所定の数値範囲に含まれるか否かに基づいて硬貨を識別する硬貨識別装置であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、
前記主判定枠には該当しないものの特定の金種の硬貨であると判別すべき硬貨についての前記識別要素ごとの前記数値範囲である補助判定枠を金種ごとに登録する補助判定枠登録手段と、
そのデータが前記主判定枠または前記補助判定枠に該当するものの特定の金種の硬貨ではないと判別すべき硬貨についての前記識別要素ごとの前記数値範囲である排除判定枠を金種ごとに登録する排除判定枠登録手段と、
そのデータが前記主判定枠または前記補助判定枠のいずれかに該当し前記排除判定枠に該当しない硬貨が当該主判定枠に対応する硬貨であると判別する判別手段と
を備えたことを特徴とする硬貨識別装置。
【請求項４】
前記主判定枠登録手段は、
すべての前記識別要素に対応する前記数値範囲が他の金種における同一の識別要素にそれぞれ対応する前記数値範囲と重複している場合に、すべての識別要素の中で両数値範囲内における各分布が最も離れた識別要素についての各数値範囲が重複しないように調整することを特徴とする請求項１、２または３に記載の硬貨識別装置。
【請求項５】
前記補助判定枠登録手段は、
特定の金種の特定の識別要素に対応する前記数値範囲が他の金種における同一の識別要素に対応する前記数値範囲と重複しないように前記主判定枠登録手段によって調整された場合に、調整前に重複していたが、調整後に範囲外となった前記特定の金種の前記特定の識別要素の第１の数値範囲と、前記第１の数値範囲にデータを有する前記特定の金種の硬貨が取り得る他の識別要素におけるデータの存在範囲を該他の識別要素の数値範囲としてそれぞれ前記補助判定枠に登録することを特徴とする請求項１または３に記載の硬貨識別装置。
【請求項６】
前記補助判定枠登録手段は、
金種ごとに複数の前記補助判定枠を登録することが可能であり、
前記排除判定枠登録手段は、
金種ごとに複数の前記排除判定枠を登録することが可能であることを特徴とする請求項３に記載の硬貨識別装置。
【請求項７】
金種ごとに複数の前記補助判定枠または複数の前記排除判定枠が登録された場合に、同じ種類の判定枠間で前記補助判定枠同士または前記排除判定枠同士を比較し、すべての前記識別要素について各識別要素に対応する両数値範囲が重複部分を有しているか接している場合に、該当する両判定枠を数値範囲が連続した１つの判定枠とする融合を行うことを特徴とする請求項６に記載の硬貨識別装置。
【請求項８】
センサ出力に基づく複数の識別要素のデータがそれぞれ所定の数値範囲に含まれるか否かに基づいて硬貨を識別する硬貨識別方法であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、
前記主判定枠には該当しないものの特定の金種であると判別すべき硬貨についての前記識別要素ごとの前記数値範囲である補助判定枠を金種ごとに登録する補助判定枠登録工程と、
そのデータが前記主判定枠または前記補助判定枠に該当した硬貨が当該主判定枠に対応する金種であると判別する判別工程と
を含んだことを特徴とする硬貨識別方法。
【請求項９】
センサ出力に基づく複数の識別要素のデータがそれぞれ所定の数値範囲に含まれるか否かに基づいて硬貨を識別する硬貨識別方法であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、
データが前記主判定枠に該当するものの特定の金種の硬貨ではないと判別すべき硬貨についての前記識別要素ごとの前記数値範囲である排除判定枠を金種ごとに登録する排除判定枠登録工程と、
データが前記主判定枠に該当し前記排除判定枠に該当しない硬貨を当該主判定枠に対応する金種の硬貨であると判別する判別工程と
を含んだことを特徴とする硬貨識別方法。
【請求項１０】
センサ出力に基づく複数の識別要素のデータがそれぞれ所定の数値範囲に含まれるか否かに基づいて硬貨を識別する硬貨識別方法であって、
少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、
データが前記主判定枠には該当しないものの特定の金種の硬貨であると判別すべき硬貨についての前記識別要素ごとの前記数値範囲である補助判定枠を金種ごとに登録する補助判定枠登録工程と、
データが前記主判定枠または前記補助判定枠に該当するものの特定の金種の硬貨ではないと判別すべき硬貨についての前記識別要素ごとの前記数値範囲である排除判定枠を金種ごとに登録する排除判定枠登録工程と、
前記主判定枠または前記補助判定枠のいずれかに該当しそのデータが前記排除判定枠に該当しない硬貨を当該主判定枠に対応する金種の硬貨であると判別する判別工程と
を含んだことを特徴とする硬貨識別方法。
【手続補正２】
【補正対象書類名】明細書
【補正対象項目名】００１０
【補正方法】変更
【補正の内容】
【００１０】
上述した課題を解決し、目的を達成するために、本発明は、センサ出力に基づく複数の識別要素のデータがそれぞれ所定の数値範囲に含まれるか否かに基づいて硬貨を識別する硬貨識別装置であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、前記主判定枠には該当しないものの特定の金種であると判別すべき硬貨についての前記識別要素ごとの前記数値範囲である補助判定枠を金種ごとに登録する補助判定枠登録手段と、そのデータが前記主判定枠または前記補助判定枠に該当した硬貨が当該主判定枠に対応する金種であると判別する判別手段とを備えたことを特徴とする。
【手続補正３】
【補正対象書類名】明細書
【補正対象項目名】００１１
【補正方法】変更
【補正の内容】
【００１１】
また、本発明は、センサ出力に基づく複数の識別要素のデータがそれぞれ所定の数値範囲に含まれるか否かに基づいて硬貨を識別する硬貨識別装置であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、前記主判定枠に該当するものの特定の金種ではないと判別すべき硬貨についての前記識別要素ごとの前記数値範囲である排除判定枠を金種ごとに登録する排除判定枠登録手段と、そのデータが前記主判定枠に該当し前記排除判定枠に該当しない硬貨が当該主判定枠に対応する金種であると判別する判別手段とを備えたことを特徴とする。
【手続補正４】
【補正対象書類名】明細書
【補正対象項目名】００１２
【補正方法】変更
【補正の内容】
【００１２】
また、本発明は、上記の発明において、センサ出力に基づき硬貨の複数の識別要素のデータがそれぞれ所定の数値範囲に含まれるか否かに基づいて硬貨を識別する硬貨識別装置であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録手段と、前記主判定枠には該当しないものの特定の金種の硬貨であると判別すべき硬貨についての前記識別要素ごとの前記数値範囲である補助判定枠を金種ごとに登録する補助判定枠登録手段と、そのデータが前記主判定枠または前記補助判定枠に該当するものの特定の金種の硬貨ではないと判別すべき硬貨についての前記識別要素ごとの前記数値範囲である排除判定枠を金種ごとに登録する排除判定枠登録手段と、そのデータが前記主判定枠または前記補助判定枠のいずれかに該当し前記排除判定枠に該当しない硬貨が当該主判定枠に対応する硬貨であると判別する判別手段とを備えたことを特徴とする。
【手続補正５】
【補正対象書類名】明細書
【補正対象項目名】００１３
【補正方法】変更
【補正の内容】
【００１３】
また、本発明は、上記の発明において、前記主判定枠登録手段は、すべての前記識別要素に対応する前記数値範囲が他の金種における同一の識別要素にそれぞれ対応する前記数値範囲と重複している場合に、すべての識別要素の中で両数値範囲内における各分布が最も離れた識別要素についての各数値範囲が重複しないように調整することを特徴とする。
【手続補正６】
【補正対象書類名】明細書
【補正対象項目名】００１４
【補正方法】変更
【補正の内容】
【００１４】
また、本発明は、上記の発明において、前記補助判定枠登録手段は、特定の金種の特定の識別要素に対応する前記数値範囲が他の金種における同一の識別要素に対応する前記数値範囲と重複しないように前記主判定枠登録手段によって調整された場合に、調整前に重複していたが、調整後に範囲外となった前記特定の金種の前記特定の識別要素の第１の数値範囲と、前記第１の数値範囲にデータを有する前記特定の金種の硬貨が取り得る他の識別要素におけるデータの存在範囲を該他の識別要素の数値範囲としてそれぞれ前記補助判定枠に登録することを特徴とする。
【手続補正７】
【補正対象書類名】明細書
【補正対象項目名】００１６
【補正方法】変更
【補正の内容】
【００１６】
また、本発明は、上記の発明において、金種ごとに複数の前記補助判定枠または複数の前記排除判定枠が登録された場合に、同じ種類の判定枠間で前記補助判定枠同士または前記排除判定枠同士を比較し、すべての前記識別要素について各識別要素に対応する両数値範囲が重複部分を有しているか接している場合に、該当する両判定枠を数値範囲が連続した１つの判定枠とする融合を行うことを特徴とする。
【手続補正８】
【補正対象書類名】明細書
【補正対象項目名】００１７
【補正方法】変更
【補正の内容】
【００１７】
また、本発明は、センサ出力に基づく複数の識別要素のデータがそれぞれ所定の数値範囲に含まれるか否かに基づいて硬貨を識別する硬貨識別方法であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、前記主判定枠には該当しないものの特定の金種であると判別すべき硬貨についての前記識別要素ごとの前記数値範囲である補助判定枠を金種ごとに登録する補助判定枠登録工程と、そのデータが前記主判定枠または前記補助判定枠に該当した硬貨が当該主判定枠に対応する金種であると判別する判別工程とを含んだことを特徴とする。
【手続補正９】
【補正対象書類名】明細書
【補正対象項目名】００１８
【補正方法】変更
【補正の内容】
【００１８】
また、本発明は、センサ出力に基づく複数の識別要素のデータがそれぞれ所定の数値範囲に含まれるか否かに基づいて硬貨を識別する硬貨識別方法であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、データが前記主判定枠に該当するものの特定の金種の硬貨ではないと判別すべき硬貨についての前記識別要素ごとの前記数値範囲である排除判定枠を金種ごとに登録する排除判定枠登録工程と、データが前記主判定枠に該当し前記排除判定枠に該当しない硬貨を当該主判定枠に対応する金種の硬貨であると判別する判別工程とを含んだことを特徴とする。
【手続補正１０】
【補正対象書類名】明細書
【補正対象項目名】００１９
【補正方法】変更
【補正の内容】
【００１９】
また、本発明は、センサ出力に基づく複数の識別要素のデータがそれぞれ所定の数値範囲に含まれるか否かに基づいて硬貨を識別する硬貨識別方法であって、少なくとも一つの前記識別要素に対応する前記数値範囲が他の金種における同一の識別要素に対応する前記数値範囲と重複しないように各数値範囲が調整された主判定枠を金種ごとに登録する主判定枠登録工程と、データが前記主判定枠には該当しないものの特定の金種の硬貨であると判別すべき硬貨についての前記識別要素ごとの前記数値範囲である補助判定枠を金種ごとに登録する補助判定枠登録工程と、データが前記主判定枠または前記補助判定枠に該当するものの特定の金種の硬貨ではないと判別すべき硬貨についての前記識別要素ごとの前記数値範囲である排除判定枠を金種ごとに登録する排除判定枠登録工程と、前記主判定枠または前記補助判定枠のいずれかに該当しそのデータが前記排除判定枠に該当しない硬貨を当該主判定枠に対応する金種の硬貨であると判別する判別工程とを含んだことを特徴とする。
【手続補正１１】
【補正対象書類名】明細書
【補正対象項目名】００２０
【補正方法】変更
【補正の内容】
【００２０】
本発明によれば、少なくとも一つの識別要素に対応する数値範囲が他の金種における同一の識別要素に対応する数値範囲と重複しないように各数値範囲が調整された主判定枠を金種ごとに登録し、主判定枠には該当しないものの特定の金種であると判別すべき硬貨についての識別要素ごとの数値範囲である補助判定枠を金種ごとに登録し、そのデータが主判定枠または補助判定枠に該当した硬貨が主判定枠に対応する金種であると判別することとしたので、主判定枠と、主判定枠によって排除されるものの本来は排除すべきではない硬貨を通過させるための補助判定枠とを用いることによって、さまざまな国の硬貨に対応することができるとともに、識別対象の追加や変動にも柔軟に対応することができるという効果を奏する。
【手続補正１２】
【補正対象書類名】明細書
【補正対象項目名】００２１
【補正方法】変更
【補正の内容】
【００２１】
また、本発明によれば、少なくとも一つの識別要素に対応する数値範囲が他の金種における同一の識別要素に対応する数値範囲と重複しないように各数値範囲が調整された主判定枠を金種ごとに登録し、主判定枠に該当するものの特定の金種ではないと判別すべき硬貨についての識別要素ごとの数値範囲である排除判定枠を金種ごとに登録し、そのデータが主判定枠に該当し排除判定枠に該当しない硬貨が主判定枠に対応する金種であると判別することとしたので、主判定枠と、主判定枠によっては排除されないものの本来は排除すべき硬貨を排除するための排除判定枠とを用いることによって、さまざまな国の硬貨に対応することができるとともに識別対象の追加や変動にも柔軟に対応することができるという効果を奏する。
【手続補正１３】
【補正対象書類名】明細書
【補正対象項目名】００２２
【補正方法】変更
【補正の内容】
【００２２】
また、本発明によれば、少なくとも一つの識別要素に対応する数値範囲が他の金種における同一の識別要素に対応する数値範囲と重複しないように各数値範囲が調整された主判定枠を金種ごとに登録し、主判定枠には該当しないものの特定の金種の硬貨であると判別すべき硬貨についての識別要素ごとの数値範囲である補助判定枠を金種ごとに登録し、そのデータが主判定枠または補助判定枠に該当するものの特定の金種の硬貨ではないと判別すべき硬貨についての識別要素ごとの数値範囲である排除判定枠を金種ごとに登録し、そのデータが主判定枠または補助判定枠のいずれかに該当し排除判定枠に該当しない硬貨が主判定枠に対応する硬貨であると判別することとしたので、主判定枠によって排除されるものの本来は排除すべきではない硬貨を通過させるための補助判定枠と、主判定枠または補助判定枠によっては排除されないものの本来は排除すべき硬貨を排除するための排除判定枠とを用いることを用いることによって、さまざまな国の硬貨に対応することができるとともに識別対象の追加や変動にも柔軟に対応することができるという効果を奏する。
【手続補正１４】
【補正対象書類名】明細書
【補正対象項目名】００２３
【補正方法】変更
【補正の内容】
【００２３】
また、本発明によれば、すべての識別要素に対応する数値範囲が他の金種における同一の識別要素にそれぞれ対応する数値範囲と重複している場合に、すべての識別要素の中で両数値範囲内における各分布が最も離れた識別要素についての各数値範囲が重複しないように調整することとしたので、最も差異が生じやすい識別要素において両主判定枠が重複しないように調整することによって、各金種にそれぞれ対応する各主範囲枠を区別して登録することができるという効果を奏する。
【手続補正１５】
【補正対象書類名】明細書
【補正対象項目名】００２４
【補正方法】変更
【補正の内容】
【００２４】
また、本発明によれば、特定の金種の特定の識別要素に対応する数値範囲が他の金種における同一の識別要素に対応する前記数値範囲と重複しないように調整された場合に、調整前に重複していたが、調整後に範囲外となった特定の金種の特定の識別要素の第１の数値範囲と、第１の数値範囲にデータを有する特定の金種の硬貨が取り得る他の識別要素におけるデータの存在範囲を該他の識別要素の数値範囲としてそれぞれ補助判定枠に登録することとしたので、重複した両主範囲枠における特定の識別要素が重複しないように調整された場合に、調整部分に該当する各データが各識別要素においてとりうる数値範囲の組を補助判定枠へ自動的に登録することによって、主判定枠の調整部分に該当する硬貨を主判定枠に対応する補助判定枠で通過させることができるという効果を奏する。
【手続補正１６】
【補正対象書類名】明細書
【補正対象項目名】００２６
【補正方法】変更
【補正の内容】
【００２６】
また、本発明によれば、金種ごとに複数の補助判定枠または複数の排除判定枠が登録された場合に、同じ種類の判定枠間で補助判定枠同士または排除判定枠同士を比較し、すべての識別要素について各識別要素に対応する両数値範囲が重複部分を有しているか接している場合に、該当する両判定枠を数値範囲が連続した１つの判定枠とする融合を行うこととしたので、補助判定枠あるいは排除判定枠に対応する記憶容量を低減することができるとともに、判定処理を高速化することができるという効果を奏する。
【手続補正１７】
【補正対象書類名】明細書
【補正対象項目名】００４７
【補正方法】変更
【補正の内容】
【００４７】
次に、図５に示した各「要素」における「上限」および「下限」の決定手順について図６を用いて説明する。図６は、センサ値の分布例を示す図である。なお、同図の（１）にはセンサ値の分布が正規分布に近い分布である場合を、同図の（２）にはセンサ値の分布が上限側に片寄った分布である場合を、同図の（３）にはセンサ値の分布が下限側に片寄った分布である場合を、それぞれ示している。また、同図における１０６ａはセンサ値の分布における最小値（ＭＩＮ）を、１０６ｂは同じく最大値（ＭＡＸ）を、１０６ｃは同じく平均値（ＡＶＥ）を、それぞれ示している。
【手続補正１８】
【補正対象書類名】明細書
【補正対象項目名】００６２
【補正方法】変更
【補正の内容】
【００６２】
この場合において、あらたな下限「Ｘ」への変更によって金種αの要素Ａの数値範囲に含まれなくなった部分（図７の（１）の斜線部分）、すなわち、下限「αＡＬ」〜上限「Ｘ−１」の数値範囲は、金種αの補助判定１の要素Ａ（後述する図８参照）へ登録される。また、図７の（１）の斜線部分に分布していた各データに対応する硬貨のデータが、金種αの他の要素においてどのように分布しているかが検索される。
【手続補正１９】
【補正対象書類名】明細書
【補正対象項目名】００６３
【補正方法】変更
【補正の内容】
【００６３】
たとえば、金種αの要素Ｂにおいて、硬貨のデータが要素Ａに関して図７の（１）の斜線部分に含まれ、そして、要素Ｂに関して、図７の（２−１）の斜線部分に示したように分布している場合には、かかる部分の下限（ＢＬ）および上限（ＢＨ）が、金種αの補助判定１の要素Ｂへ登録される。また、金種αの要素Ｃにおいて、要素Ａに関して、硬貨のデータが図７の（１）の斜線部分に含まれ、そして、要素Ｃに関して、図７の（２−２）の斜線部分に示したように分布している場合には、かかる部分の下限（ＣＬ）および上限（ＣＨ）が、金種αの補助判定１の要素Ｃへ登録される。なお、このような検索処理は、すべての要素について行われる。
【手続補正２０】
【補正対象書類名】明細書
【補正対象項目名】００７１
【補正方法】変更
【補正の内容】
【００７１】
図１０に示した場合では、排除判定枠１４ｃの数値範囲は、すべて主判定枠１４ａの数値範囲に含まれているが、主判定枠１４ａの各数値範囲に比べてすべてが狭い範囲のものとなっている。このような排除判定枠１４ｃは、主判定枠１４ａのすべての要素における数値範囲に内包されるものの、特定の条件を満たした硬貨を排除したい場合に用いられる。すなわち、排除判定枠１４ｃは、主判定枠１４ａでは通過してしまうが本来は通過させたくない硬貨を排除したい場合に用いられる。また、この排除判定枠１４ｃは、補助判定枠１４ｂでは通過してしまうが本来は通過させたくない硬貨を排除したい場合にも用いられる。
【手続補正２１】
【補正対象書類名】明細書
【補正対象項目名】００７３
【補正方法】変更
【補正の内容】
【００７３】
次に、判定枠融合部１３ｄについて説明する。判定枠融合部１３ｄは、補助判定枠１４ｂや排除判定枠１４ｃとしてそれぞれ複数の判定枠（図８における判定１、判定２などを参照）が登録された場合に、重複した判定枠同士を合わせて判定条件を少なくするための「融合」処理を行う処理部である。なお、この「融合」は、同一要素内の判定枠設定について行われる。このように、判定枠を融合することで、判定枠を記憶するための記憶領域を削減することができるとともに、判定処理の高速化を図ることができる。
【手続補正２２】
【補正対象書類名】明細書
【補正対象項目名】００７９
【補正方法】変更
【補正の内容】
【００７９】
なお、判定枠融合処理では、テーブルにおける後方から（判定番号が大きいほうから）順に比較していくものとする。たとえば、図１１に示した場合では、判定３と判定２とが比較され、次に、判定２と判定１とが比較される。そして、すべての要素について（１）〜（３）の条件を満たした両判定条件では、要素ごとに上限および下限の融合を行って判定番号が小さいほうの判定条件を更新するとともに、判定番号が大きいほうの判定条件をテーブルから削除する。そして、かかる比較を判定番号が最も小さい判定条件を比較基準とするまで繰り返していく。
【国際調査報告】
2009122576.tif 000015
2009122576.tif 000016
2009122576.tif 000017